【手続補正書】
【提出日】平成26年6月26日(2014.6.26)
【手続補正１】
【補正対象書類名】特許請求の範囲
【補正対象項目名】全文
【補正方法】変更
【補正の内容】
【特許請求の範囲】
【請求項１】
互いに混和しない第１の流体及び第２の流体を備え、前記第１及び第２の流体は、前記第１及び第２の流体のうち少なくとも一方に印加される電圧を変更することにより、第１の配置と第２の配置との間で切替え可能であり、前記第２の流体の３５ｗｔ％以下が水であり、前記第２の流体の残部ｗｔ％が少なくとも１種の非水成分を含む、エレクトロウェッティング素子。
【請求項２】
前記第２の流体中の水のｗｔ％が、水の最大平衡吸湿量以下である、請求項１に記載のエレクトロウェッティング素子。
【請求項３】
前記第２の流体中の水のｗｔ％が０又は実質的に０である、請求項１に記載のエレクトロウェッティング素子。
【請求項４】
前記第２の流体中の水のｗｔ％が０．５ｗｔ％以上、１ｗｔ％以上、又は１．５ｗｔ％以上である、請求項１に記載のエレクトロウェッティング素子。
【請求項５】
前記第２の流体中の水のｗｔ％が、２〜３５ｗｔ％、２．５ｗｔ％〜３５ｗｔ％、３〜３５ｗｔ％、４〜３５ｗｔ％、及び５〜３５ｗｔ％からなる群より選択される、請求項４に記載のエレクトロウェッティング素子。
【請求項６】
前記第２の流体中の水のｗｔ％が、０．５〜３４．５ｗｔ％、０．５〜３４ｗｔ％、０．５〜３３．５ｗｔ％、０．５〜３３ｗｔ％、０．５〜３２．５ｗｔ％、０．５〜３０ｗｔ％、０．５〜２５ｗｔ％、０．５〜２０ｗｔ％、０．５〜１５ｗｔ％、０．５〜１０ｗｔ％、０．５〜７．５ｗｔ％、０．５〜７ｗｔ％、０．５〜６．５ｗｔ％、０．５〜６ｗｔ％、０．５〜５．５ｗｔ％、０．５〜５ｗｔ％、１〜３４．５ｗｔ％、１〜３４ｗｔ％、１〜３３．５ｗｔ％、１〜３３ｗｔ％、１〜３２．５ｗｔ％、１〜３０ｗｔ％、１〜２５ｗｔ％、１〜２０ｗｔ％、１〜１５ｗｔ％、１〜１０ｗｔ％、１〜７．５ｗｔ％、１〜７ｗｔ％、１〜６．５ｗｔ％、１〜６ｗｔ％、１〜５．５ｗｔ％、１〜５ｗｔ％、１．５〜３４．５ｗｔ％、１．５〜３４ｗｔ％、１．５〜３３．５ｗｔ％、１．５〜３３ｗｔ％、１．５〜３２．５ｗｔ％、１．５〜３０ｗｔ％、１．５〜２５ｗｔ％、１．５〜２０ｗｔ％、１．５〜１５ｗｔ％、１．５〜１０ｗｔ％、１．５〜７．５ｗｔ％、１．５〜７ｗｔ％、１．５〜６．５ｗｔ％、１．５〜６ｗｔ％、１．５〜５．５ｗｔ％、及び１．５〜５ｗｔ％からなる群より選択される、請求項４に記載のエレクトロウェッティング素子。
【請求項７】
前記第２の流体中の水のｗｔ％が、２〜３２ｗｔ％、２．５〜３１ｗｔ％、３〜３０ｗｔ％、３．５〜２９ｗｔ％、４〜２８ｗｔ％、４．５〜２７ｗｔ％、５〜２６ｗｔ％、５．５〜２５ｗｔ％、６〜２４ｗｔ％、６．５〜２３ｗｔ％、７〜２２ｗｔ％、７．５〜２１ｗｔ％、８〜２０ｗｔ％、８．５〜１９ｗｔ％、９〜１８ｗｔ％、９．５〜１７ｗｔ％、１０〜１６ｗｔ％、１０．５〜１５ｗｔ％、１１〜１４ｗｔ％、及び１１．５〜１３ｗｔ％からなる群より選択される、請求項４に記載のエレクトロウェッティング素子。
【請求項８】
前記第２の流体中の水のｗｔ％が、１５ｗｔ％以下、１１ｗｔ％以下、１０ｗｔ％以下、３ｗｔ％以下、０．０５〜１５ｗｔ％、０．０５〜１１ｗｔ％、０．０５〜１０ｗｔ％、及び０〜０．５ｗｔ％からなる群より選択される、請求項１に記載のエレクトロウェッティング素子。
【請求項９】
前記少なくとも１種の非水成分が、炭素と酸素とを有し、酸素原子数と炭素原子数との比が１：２より大きく、少なくとも２つの炭素原子が存在する一般式を有する少なくとも１種の成分を含有する、請求項１〜８のいずれか一項に記載のエレクトロウェッティング素子。
【請求項１０】
前記少なくとも１種の非水成分が、ポリエーテル、場合によっては下記の一般式を有するポリエチレングリコール
【化１】
2013528838.tif 000001
（式中、ｎは整数であり、場合によってはｎ＝１〜２０、１〜１５、１〜１０、１〜５、又は１である）、
過酸化物、場合によっては下記の一般式を有するポリマージエチルエーテルパーオキサイド
【化２】
2013528838.tif 000002
（式中、ｎは整数であり、場合によってはｎ＝１〜２０、１〜１５、１〜１０、１〜５、又は１である）、
それらの誘導体、及びそれらの組合せからなる群より選択される成分を含む、請求項９に記載のエレクトロウェッティング素子。
【請求項１１】
前記少なくとも１種の非水成分が、少なくとも１種のポリオールを含む、請求項９又は１０に記載のエレクトロウェッティング素子。
【請求項１２】
前記少なくとも１種の非水成分がジオールを含み、前記ジオールは、場合によってはエチレングリコール、プロピレングリコール、少なくとも１つのヘテロ原子で置換されているエチレングリコール、少なくとも１つのヘテロ原子で置換されているプロピレングリコール、それらの誘導体、及びそれらの組合せからなる群より選択される、請求項１１に記載のエレクトロウェッティング素子。
【請求項１３】
前記少なくとも１種の非水成分がトリオールを含み、前記トリオールは、場合によってはグリセロール、ブタントリオール、ペンタントリオール、それらの誘導体、及びそれらの組合せからなる群より選択される、請求項１１又は１２に記載のエレクトロウェッティング素子。
【請求項１４】
前記少なくとも１種の非水成分がテトラオールを含み、前記テトラオールは、場合によってはエリスリトール、それらの誘導体、及びそれらの組合せからなる群より選択される、請求項１１、１２又は１３に記載のエレクトロウェッティング素子。
【請求項１５】
前記少なくとも１種の非水成分が、エーテル、ジオキサラン、ジメトキシメタン、１；１−ジメトキシエチレン、アミド、ポリアミド、カルボン酸、ギ酸、酢酸、プロパン酸、グリコール酸、ヘテロ原子で置換されているカルボン酸、ハロゲン化カルボン酸、クロロ酢酸、トリフルオロ酢酸、場合によってはシュウ酸、マロン酸、コハク酸、及び／又はグルタル酸を含めたジカルボン酸、場合によってはクエン酸及び／又はアコニトリック酸を含めたトリカルボン酸、エステル、酢酸メチル、乳酸エチル、スルホン、硫酸ジメチル、亜硫酸ジメチル、メチルスルホニルメタン、アルデヒド、アセトアルデヒド、グリオキサール、メチルグリオキサール、過酸化物、メチルエチルケトンパーオキサイド、オキサミン酸、有機スルホキシド、炭酸エチレン、炭酸プロピレン、ジエチレングリコール、それらの誘導体、及びそれらの組合せからなる群より選択される少なくとも１種の成分を含む、請求項９〜１４のいずれか一項に記載のエレクトロウェッティング素子。
【請求項１６】
前記少なくとも１種の非水成分の各成分が、炭素と酸素とを有し、酸素原子数と炭素原子数との比が１：２より大きく、少なくとも２つの炭素原子が存在する一般式を有する、請求項９〜１５のいずれか一項に記載のエレクトロウェッティング素子。
【請求項１７】
前記少なくとも１種の非水成分が、エチレングリコール、ジエチレングリコール、ポリエチレングリコール、プロピレングリコール、ジオキサラン、グリオキサール、クエン酸、シュウ酸、オキサミン酸、及びギ酸からなる群より選択される第１の非水成分を含み、前記少なくとも１種の非水成分が、エリスリトール、炭酸エチレン、炭酸プロピレン、エチレングリコール、グリセロール、及びブタントリオールからなる群より選択される、前記第１の非水成分とは異なる第２の非水成分を含む、請求項９〜１６のいずれか一項に記載のエレクトロウェッティング素子。
【請求項１８】
前記第２の流体の残部ｗｔ％が、１００：０、９０：１０、８０：２０、７５：２５、７０：３０、６５：３５、６０：４０、５５：４５、５０：５０、４５：５５、４０：６０、３５：６５、３０：７０、２５：７５、２０：８０、１０：９０又は０：１００の、第１の非水成分のｗｔ％と第２の非水成分のｗｔ％との比を有する、請求項１７に記載のエレクトロウェッティング素子。
【請求項１９】
前記第１の流体が少なくとも１種の染料を含み、前記第２の流体の組成が前記少なくとも１種の染料に応じて選択される、請求項１〜１８のいずれか一項に記載のエレクトロウェッティング素子。
【請求項２０】
前記第２の流体が３０、３５、４０又は４５ｍＮｍ−１を超える表面張力を有する、請求項１〜１９のいずれか一項に記載のエレクトロウェッティング素子。
【請求項２１】
前記エレクトロウェッティング素子が、エレクトロウェッティング式ディスプレイデバイス用のディスプレイ素子である、請求項１〜２０のいずれか一項に記載のエレクトロウェッティング素子。
【請求項２２】
請求項１〜２１のいずれか一項に記載の前記第２の流体による流体。
【請求項２３】
エレクトロウェッティング式ディスプレイデバイスにおける、請求項２２の前記流体の使用。